(57)【要約】【課題】拭き掃除をより容易に行うことができるとともに、清潔な状態をより容易に維持することが可能な便器を得る。【解決手段】上方に開口するボウル６を有する便器本体１と上下方向に回動可能に取り付けられている便座２とを有する便器であって、前記便器本体１は、ボウル６の周壁の上縁部をなすリム部８を備え、前記リム部８の上面８ｅを、リム部８の幅方向中央部を頂上とし幅方向両端に向けて下がる上に凸の曲面状に形成した。【選択図】図２
2007291643.tif 000002
【特許請求の範囲】
【請求項１】
上方に開口するボウルを有する便器本体と上下方向に回動可能に取り付けられている便座とを有する便器であって、
前記便器本体は、ボウルの周壁の上縁部をなすリム部を備え、
前記リム部の上面を、リム部の幅方向中央部を頂上とし幅方向両端に向けて下がる上に凸の曲面状に形成したことを特徴とする便器。
【請求項２】
前記便座の裏面に、前記リム部上面の曲面形状に対応する凹溝部を形成したことを特徴とする請求項１に記載の便器。
【請求項３】
前記便座の裏面に、前記リム部上面の曲面形状に対応する凹溝部が形成された便座支持部材を設けたことを特徴とする請求項１に記載の便器。
【発明の詳細な説明】
【技術分野】
【０００１】
本発明は、便器に関する。
【背景技術】
【０００２】
従来、便器の構造として、特許文献１に開示されるものが知られている。
【０００３】
この特許文献１に開示される便器は、ボウルを有しており、当該ボウルの周壁上縁部としてリムを形成したものである。
【特許文献１】特開２００１−２６９６０号公報
【発明の開示】
【発明が解決しようとする課題】
【０００４】
しかしながら、上記特許文献１に示される従来例にあっては、リムは、断面視で長方形状をしており、その上面が水平な平坦面となるようにボウル上部に設けられているため、拭き掃除用清掃具を用いて当該リム部分の上面と両側面を片手で把持して一度に拭こうとしても、手のひらおよび指をリムの形状にフィットさせることが難しかった。その結果、拭き掃除用清掃具のリム表面への接触圧のばらつきが大きくなってしまい、拭き残し部分が多く発生し効率的に拭くことができなかった。
【０００５】
そこで、本発明は、拭き掃除をより容易に行うことができるとともに、清潔な状態をより容易に維持することが可能な便器を得ることを目的とする。
【課題を解決するための手段】
【０００６】
請求項１の発明にあっては、上方に開口するボウルを有する便器本体と上下方向に回動可能に取り付けられている便座とを有する便器であって、前記便器本体は、ボウルの周壁の上縁部をなすリム部を備え、前記リム部の上面を、リム部の幅方向中央部を頂上とし幅方向両端に向けて下がる上に凸の曲面状に形成したことを特徴としている。
【０００７】
請求項２の発明にあっては、請求項１に記載の便器において、前記便座の裏面に、前記リム部上面の曲面形状に対応する凹溝部を形成したことを特徴としている。
【０００８】
請求項３の発明にあっては、請求項１に記載の便器において、前記便座の裏面に、前記リム部上面の曲面形状に対応する凹溝部が形成された便座支持部材を設けたことを特徴としている。
【発明の効果】
【０００９】
本発明によれば、リム部の上面を、上に凸の曲面状に形成しているため、リム部上面および両側面を片手で把持した際に手のひらおよび指をリム部の形状にフィットさせやすくなり、リム部を拭く際に、拭き残し部分の発生を抑制することができ、効率的に拭くことが可能となる。
【発明を実施するための最良の形態】
【００１０】
以下、本発明の実施形態について図面を参照しながら詳細に説明する。
【００１１】
（第１実施形態）図１は、本実施形態にかかる便器の分解斜視図、図２は、図１のＡ−Ａ断面図である。なお、以下では、便宜上、使用者が便座に着座した時の背面側を後方、正面側を前方と称することにする。
【００１２】
本実施形態における便器は、図１に示すように、トイレの床面上に設置される樹脂製の便器本体（便器）１と、便器本体１内部に収容された局部洗浄装置１５と、便器本体１に回動可能に取り付けられた便座２および便蓋４とを備えている。
【００１３】
便器本体１は、上方に開口したボウル部７と、ボウル部７の上端部に設けられ、便器本体１の上端部をなすリム部８と、外周壁をなすスカート部９とを備えている。これらボウル部７，リム部８，スカート部９は別体の成型品であり、溶着等することで一体化される。そして、これらが一体化されてなる便器本体１の内部には空洞が形成される。
【００１４】
リム部８はボウル部７の上側に装着され、これにより用を足すためのボウル６が形成されている。すなわち、リム部８は、ボウル６の周壁の上縁部をなすものである。
【００１５】
本実施形態では、リム部８は、図１および図２に示すように、上壁部８ａと、外側壁部８ｂと、内側壁部８ｃと、底壁部８ｄと、を備えている。そして、図２に示すように、外側壁部８ｂと底壁部８ｄとの間には隙間８ｆが形成されており、当該隙間８ｆにボウル部７の上側周壁部７ａを嵌め込んでリム部８をボウル部７の上側に装着している。
【００１６】
さらに、本実施形態では、リム部８の上壁部８ａを、上が凸の略逆Ｕ字状となるように膨出形成することで、その上面８ｅがリム部８の幅方向中央部を頂上とし幅方向両端に向けて下がる上に凸の曲面状（断面の上縁が略円弧状となる曲面；半円柱面を略Ｕ字状または環状に湾曲させた曲面）となるようにしている。
【００１７】
なお、ボウル部７の下端部には、後方に向けて排水管部（図示せず）が突設されており、この排水管部（図示せず）からターントラップ装置（図示せず）を介してボウル６内の溜水が排水されるようになっている。
【００１８】
また、ボウル部７の内周面には、図１に示すように、洗浄水の吐水孔１３と、ボウル部７の内面全体に洗浄水を供給する溝状の洗浄水流路１４とが形成されている。
【００１９】
スカート部９は、後方に開口する平面視Ｕ字状に形成されており、その上端縁は、リム部８の下端縁に接続されている。
【００２０】
局部洗浄装置１５は、略箱状をしており、その内部には局部洗浄用のノズル（図示せず）や、当該ノズル（図示せず）をノズル孔１８を介してボウル６内に進出するように駆動させるための各種装置、制御回路等が設けられている。
【００２１】
なお、本実施形態では、この局部洗浄装置１５を便器本体１内部の後部かつ上部に取り付け、便器本体１の後部側、すなわち局部洗浄装置１５を装着した側の上端面１ａが全域に亘って段差が無く滑らかでありかつほぼ平坦な平滑面状となるようにするとともに、上端面１ａを後側程上方に位置するように傾斜させ、全体としては段差のない滑らかな緩斜面となるようにすることで、便器本体１の汚れを拭き取りやすくして、清潔な状態をより容易に維持できるようにしている。
【００２２】
また、本実施形態では、便座２および便蓋４の両側端部には、それぞれ便器本体１に取り付けるための取付部３，３および取付部５，５が形成されており、これら取付部３，５は、図１に示すように、各本体部の後端部から側面視で略Ｌ字状となるように突出するアーム状に形成されている。そして、便座２の取付部３，３には貫通穴３ａ，３ａが形成される一方、便蓋４の取付部５，５にはピン５ａ，５ａが内側に向けて突設されている。また、便器本体１の両側壁部の上側かつ後側には、外側に向けてピン１１，１１が突設されている。そして、各取付部３に形成された貫通穴３ａの両側にピン１１およびピン５ａを嵌め込むことで便器本体１に便座２および便蓋４が回動可能に取り付けられる。すなわち、便座２および便蓋４は、便器本体１に同軸上で回動支持されている。
【００２３】
さらに本実施形態では、図２に示すように、便座２の裏面２ａに、リム部８の上面８ｅの曲面形状に対応する凹溝部１０が形成されており、この便座２を下げた際に、リム部８の上面８ｅが凹溝部１０に収まるようにしている。
【００２４】
以上の本実施形態によれば、リム部８の上面８ｅがリム部８の幅方向中央部を頂上とし幅方向両端部に向けて下がる上に凸の曲面状となるように、リム部８を形成しているため、リム部８の上面８ｅおよび両側面を片手で把持した際に手のひらおよび指がリム部８の形状にフィットし、拭き掃除用清掃具を用いてリム部を拭く際に、拭き掃除用清掃具のリム表面への接触圧のばらつきが抑制される。その結果、拭き残し部分の発生を抑制することができ、リム部８を効率的に拭くことが可能となる。
【００２５】
また、本実施形態によれば、便座２を下げた際にリム部８の上面８ｅが収まるように、リム部８の上面８ｅの曲面形状に対応する凹溝部１０を便座２の裏面２ａに形成することで、便座２を下げて、上に凸状をしたリム部８の上側に載置させた際に、便座２のぐらつきの抑制を図っている。
【００２６】
また、凹溝部１０を設けて、便座２を下げた際にリム部８の上面８ｅが収まるようにしたため、便座２を下げることでリム部８の上面８ｅに蓋をすることができ、リム部８の上面８ｅ上に汚れが溜まることを抑制することができるという利点もある。
【００２７】
（第２実施形態）図３は、本実施形態にかかる便器の図１のＡ−Ａと同位置における断面図である。なお、本実施形態にかかる便器は、上記第１実施形態にかかる便器と同様の構成要素を備える。よって、それら同様の構成要素については共通の符号を付すとともに、重複する説明を省略する。
【００２８】
本実施形態にかかる便器では、図３に示すように、便座２Ａの裏面２ａＡに便座支持部材としてのアダプタ２ｃが設けられている。
【００２９】
そして、アダプタ２ｃの下面には、リム部８の上面８ｅの曲面形状に対応する凹溝部１０Ａが形成されており、この便座２Ａを下げた際に、リム部８の上面８ｅが凹溝部１０Ａに収まるようにしている。
【００３０】
以上の本実施形態によっても、上記第１実施形態と同様の効果を得ることができる。
【００３１】
（第３実施形態）図４は、本実施形態にかかる便器の図１のＡ−Ａと同位置における断面図である。なお、本実施形態にかかる便器は、上記第１実施形態にかかる便器と同様の構成要素を備える。よって、それら同様の構成要素については共通の符号を付すとともに、重複する説明を省略する。
【００３２】
本実施形態にかかる便器では、リム部８Ｂがボウル部７の上側に装着されることで用を足すためのボウル６Ｂが形成されている。
【００３３】
このリム部８Ｂは、その上壁部８ａＢを断面視で上に凸状に形成するとともに、内側壁部８ｃＢを断面視で略Ｓ字状となるように形成することで、リム部８Ｂの表面が滑らかな曲面状となるように形成されている。そして、内側壁部８ｃＢの下端部をリム部８Ｂの下方に位置するボウル部７の上側周壁部７ａに溶着等して、リム部８Ｂをボウル部７の上側に装着させている。
【００３４】
さらに、上記第１実施形態と同様に、便座２の裏面２ａに、リム部８Ｂの上面８ｅＢの曲面形状に対応する凹溝部１０を形成し、この便座２を下げた際に、リム部８Ｂの上面８ｅＢが凹溝部１０に収まるようにしている。
【００３５】
以上の本実施形態によっても、上記第１実施形態および第２実施形態と同様の効果を得ることができる。
【００３６】
その上、本実施形態によれば、リム部８Ｂは、その表面が滑らかな曲面状となるように形成されているため、上記第１実施形態および第２実施形態よりも拭きやすくすることができる。さらに、リム部８Ｂの表面を滑らかな曲面状とすることで、吐水孔１３からの洗浄水が、ボウル６の外部にこぼれることなくリム部８Ｂの内側面に沿ってボウル６の内周面全体を旋回するため、ボウル６全体をむらなく洗浄することができる上、滑らかな曲面状として角部をなくした分、水切れがよく汚れも溜まりにくくなる（水垢が発生しにくくなる）という利点もある。
【００３７】
以上、本発明にかかる局部洗浄装置付便器の好適な実施形態について説明したが、本発明は上記実施形態に限ることなく要旨を逸脱しない範囲で種々の実施形態を採用することができる。
【００３８】
例えば、便器の上端面を傾斜のない水平面としてもよいし、湾曲等のないほぼ完全な平坦面としてもよい。
【００３９】
また、上記第１〜第３実施形態においては、局部洗浄装置付便器を例示して説明したが、暖房便座装置付便器としても本発明を実施することができるし、かかる装置の付いていない便器としても本発明を実施することができる。
【００４０】
また、上記第１〜第３実施形態においては、局部洗浄装置が便器本体に内蔵された局部洗浄装置付便器を例示して説明したが、局部洗浄装置を便器本体上面に載設させた便器としても本発明を実施することができる。
【００４１】
また、上記第１〜第３実施形態においては、便器および局部洗浄装置の材質として樹脂を用いているが、例えばそれらの一部又は全部を陶器等の他の材質を用いて形成してもよい。
【００４２】
さらに、上記第１〜第３実施形態において使用される便器および局部洗浄装置の形状は、種々の形状を取り得る。
【００４３】
また、上記第１〜第３実施形態においては、ターントラップ式便器について例示したが、サイフォン式便器としても本発明を実施することができる。その場合、逆Ｕ字状配管の上側に形成される空間に、局部洗浄装置を配設することができる。
【図面の簡単な説明】
【００４４】
【図１】本発明の第１実施形態にかかる便器の分解斜視図。
【図２】図１のＡ−Ａ断面図。
【図３】本発明の第２実施形態にかかる便器の図１のＡ−Ａと同位置における断面図。
【図４】本発明の第３実施形態にかかる便器の図１のＡ−Ａと同位置における断面図。
【符号の説明】
【００４５】
１  便器本体
２  便座
２ａ  裏面
２ｃ  アダプタ（便座支持部材）
６  ボウル
８  リム部
８ｅ  上面
１０  凹溝部
【図１】
2007291643.tif 000003
【図２】
2007291643.tif 000004
【図３】
2007291643.tif 000005
【図４】
2007291643.tif 000006